(57)【要約】【課題】デザイナーによる調色結果と遜色ない程度に、デザイナーが彩色する下地の素材に対応させ、配合される配合インキの色を再現するためのベースインキの種類と、それらインキ配合比率とを求める色材選択補助システム及びその方法を提供する。【解決手段】本発明の色材選択補助システムは、ベースインキを複数配合した配合インキと、配合インキを配合するベースインキの種類と、ベースインキの種類毎の配合比率と、属性データと、下地素材に彩色した際の再現色の再現色彩値とが対応して予め書き込まれて記憶されている再現可能色域データベースと、再現色彩値、下地素材及び属性データを有する検索データにより、再現可能色域データベースから、下地素材に彩色した場合に再現色彩値となる配合インキを選択する制御部とを備える。【選択図】図１
2014195172.tif 000002
【特許請求の範囲】
【請求項１】
ベースインキを複数配合した配合インキと、当該配合インキを配合するベースインキの種類と、前記ベースインキの種類毎の配合比率と、属性データと、下地素材に彩色した際の再現色の再現色彩値とが対応して予め書き込まれて記憶されている再現可能色域データベースと、
前記再現色彩値、前記下地素材及び前記属性データを有する検索データにより、前記再現可能色域データベースから、前記下地素材に彩色した場合に前記再現色彩値となる配合インキを選択する制御部と
を備えることを特徴とする色材選択補助システム。
【請求項２】
前記再現色彩値が、複数の光源の照明下で観察したときの分光反射率に対応した色彩値それぞれを有していることを特徴とする請求項１に記載の色材選択補助システム。
【請求項３】
表示部をさらに有し、
前記制御部が、複数の光源の照明下で観察したときの色彩値それぞれを、標準光源の照明下で観察することにより、複数の異なる光源の照明下で観察される再現色で前記表示部に表示することを特徴とする請求項２に記載の色材選択補助システム。
【請求項４】
プリンタをさらに有し、
前記制御部が、複数の光源の照明下で観察したときの色彩値それぞれを、標準光源の照明下で観察することにより、複数の異なる光源の照明下で観察される再現色となるように前記プリンタで印刷することを特徴とする請求項２に記載の色材選択補助システム。
【請求項５】
前記配合色の前記配合比率の補正を行うＣＣＭ部をさらに有し、
前記色彩値の分光反射率と前記再現色彩値との分光反射率とが所定の波長における差分が予め設定された閾値範囲となるよう、前記再現色彩値の配合比率を調整することを特徴とする請求項１から請求項４のいずれか１項に記載の色材選択補助システム。
【請求項６】
ベースインキを複数配合した配合インキと、当該配合インキを配合するベースインキの種類と、前記ベースインキの種類毎の配合比率と、属性データと、下地素材に彩色した際の再現色の再現色彩値とが対応して予め書き込まれて記憶されている再現可能色域データベースから、前記再現色彩値、前記下地素材及び前記属性データを有する検索データに対応する前記配合インキをを選択する制御過程
を含むことを特徴とする色材選択補助方法。
【発明の詳細な説明】
【技術分野】
【０００１】
本発明は、彩色製品に対する彩色の色合わせに用いる色材選択補助システム及びその方法に関する。
【背景技術】
【０００２】
従来から、包装や衣服などの彩色製品において、色決定者（例えば製品のデザイナー）が彩色する色を指定し、彩色製品製造者がこの指定された色を再現する作業を行い、再現した色により製品を彩色している。
ここで、彩色する色の指定には、一般的には色見本帳が用いられている。この色見本帳の色の種類数は例えば数千色が用意されている。また、色見本帳において、彩色される下地の素材にはアート紙等の一般的な印刷可能な用紙が用いられ、これらの用紙への印刷方法は主にオフセット印刷が用いられている。
【０００３】
色決定者が色見本帳を利用する場合、指定した色を伝える場合に色を指定する際に色見本帳から切り離した同一色の見本のカラーチップを、関係者に受け渡す必要があり、色決定者に色を決定してもらう際、関係者は常に完全に全色が存在する色見本帳を準備する必要がある。
また、色見本帳の色は限られており、色決定者が本当に望む色を選択することができない。さらに、色見本帳の色の彩色に必要なインキの配合情報や、彩色する下地の材料の種類数が限定されているため、彩色製品製造者が色決定者の決定した色を、異なる材料で再現する作業を行わなければならない。すなわち、彩色製品製造者は、例えば、色合わせのためのシステムを用い、色見本としてのカラーチップの色を元に、色決定者の設計した色を、彩色する下地の材料に合わせて再現する必要がある（例えば、特許文献１参照）。このため、色合わせ作業において、印刷方式に合わせたインキの種類の選択、配合比率などの試行錯誤を行うことになり、設備投資、人手及び時間がかかってしまう。
【０００４】
また、近年、彩色製品のデザイナーは、パーソナルコンピュータ（以下、ＰＣ）上のアプリケーション（例えば、Ａｄｏｂｅ  Ｉｌｌｕｓｔｒａｔｏｒ（登録商標）等）を利用し、製品のデザイン及び彩色の設計を行っている。このとき、デザイナーは、ＰＣの画面上に表示される色見本による色彩確認や、インクジェット印刷などによるモックアップ作成を行い、彩色製品のデザイン案の検討を行う。これにより、色見本帳に比較して、色決定者が選択できる色の連続性を得ることができ、希望の色を選択する幅が広がる。
【０００５】
しかし、ＰＣの画面上に表示される色は、デザインする製品の材料に彩色した状態で確認することはできない。また、インクジェット印刷などによるモックアップ等も色見本帳と同様に、デザインする製品の材料）に彩色した状態で確認できることが望ましいが、一般的には製品とは異なる材料で確認している。
したがって、彩色製品製造者は、色決定者が設計した色を再現するため、色見本帳の場合と同様に、彩色に必要なインキの配合情報や、彩色する下地の素材（材料）の種類などが実際の彩色製品と異なるため、煩雑な色合わせ作業を行うことになる。また、色決定者が指定する色見本帳の色は、彩色製品にて使用される材料では再現しない場合があり、最終的な色決定まで多くの時間を費やしたり、色指定のやり直しによる工程の後戻りが発生したりしている。
【先行技術文献】
【特許文献】
【０００６】
【特許文献１】特開２００９−１６３７５９号公報
【発明の概要】
【発明が解決しようとする課題】
【０００７】
本発明は、上述した点を鑑みてなされたもので、デザイナーによる色選択時に、デザイナーが彩色する下地の素材に対応させ、配合される配合インキの色を再現するためのベースインキの種類と、それらインキの配合比率及び分光反射率とを求める色材選択補助システム及びその方法を提供することを目的とする。
【課題を解決するための手段】
【０００８】
この発明は上述した課題を解決するためになされたもので、本発明の色材選択補助システムは、ベースインキを複数配合した配合インキと、当該配合インキを配合するベースインキの種類と、前記ベースインキの種類毎の配合比率と、属性データと、下地素材に彩色した際の再現色の再現色彩値とが対応して予め書き込まれて記憶されている再現可能色域データベースと、前記再現色彩値、前記下地素材及び前記属性データを有する検索データにより、前記再現可能色域データベースから、前記下地素材に彩色した場合に前記再現色彩値となる配合インキを選択する制御部とを備えることを特徴とする。
【０００９】
本発明の色材選択補助システムは、前記再現色彩値が、複数の光源の照明下で観察したときの分光反射率に対応した色彩値それぞれを有していることを特徴とする。
【００１０】
本発明の色材選択補助システムは、表示部をさらに有し、前記制御部が、複数の光源の照明下で観察したときの色彩値それぞれを、標準光源の照明下で観察することにより、複数の異なる光源の照明下で観察される再現色で前記表示部に表示することを特徴とする。
【００１１】
本発明の色材選択補助システムは、プリンタをさらに有し、前記制御部が、複数の光源の照明下で観察したときの色彩値それぞれを、標準光源の照明下で観察することにより、複数の異なる光源の照明下で観察される再現色となるように前記プリンタで印刷することを特徴とする。
【００１２】
本発明の色材選択補助システムは、前記配合色の前記配合比率の補正を行うＣＣＭ部をさらに有し、前記色彩値の分光反射率と前記再現色彩値との分光反射率とが所定の波長における差分が予め設定された閾値範囲となるよう、前記再現色彩値の配合比率を調整することを特徴とする。
【００１３】
本発明の色材選択補助方法は、ベースインキを複数配合した配合インキと、当該配合インキを配合するベースインキの種類と、前記ベースインキの種類毎の配合比率と、属性データと、下地素材に彩色した際の再現色の再現色彩値とが対応して予め書き込まれて記憶されている再現可能色域データベースから、前記再現色彩値、前記下地素材及び前記属性データを有する検索データに対応する前記配合インキをを選択する制御過程を含むことを特徴とする。
【発明の効果】
【００１４】
この発明によれば、デザイナーによる色選択時に、デザイナーが彩色する下地の素材に対応させ、配合される配合インキの色を再現するためのベースインキの種類と、それらインキの配合比率及び分光反射率とを再現可能色域データベースを用いることにより容易に求めることができる。
【図面の簡単な説明】
【００１５】
【図１】この発明の一実施形態による色材選択補助システム１の構成例を示す概略ブロック図である。
【図２】再現可能色域データベース２２に記憶されている配合インキテーブルの構成例を示す図である。
【図３】耐性データの一例としてオフセットインキ及びグラビアインキにおける耐性特性の種類とその耐性の説明が示されている。
【図４】パラメータデータベース２１に予め書き込まれて記憶されている下地素材テーブルの構成を示している。
【図５】パラメータデータベース２１に予め書き込まれて記憶されているベースインキテーブルの構成を示している。
【図６】表示部１９に表示される、下地素材の選択、インキタイプの選択、再現したい色の色彩値のデータ、属性データの入力画面１００の一例を示す図である。
【図７】表示部１９に表示される、図６の各々の入力欄に書き込まれたデータにより検索された配合インキを下地素材に彩色した結果を示す検索結果画面１１０の一例を示す図である。
【図８】表示部１９に表示される、図７の検索結果画面１１０で選択した配合インキの詳細な情報を示す検索結果詳細画面１５０の一例を示す図である。
【図９】本実施形態の色材選択補助システム１における、操作者が入力した検索データに基づいた配合インキの検索処理を示すフローチャートである。
【図１０】この発明の一実施形態による色域データベース作成システム３の構成例を示す概略ブロック図である。
【図１１】初期配合した配合インキ各々のＬ＊ａ＊ｂ＊値をＬ＊ａ＊ｂ＊色空間の各座標にプロットした図である。
【図１２】本実施形態による色域データベース作成システム１０の配合インキテーブルの作成における動作を示すフローチャートである。
【図１３】Ｌ＊ａ＊ｂ＊空間補完部１７が行うＬ＊ａ＊ｂ＊値の離散化を説明する図である。
【図１４】計算対象の配合計算対象Ｌ＊ａ＊ｂ＊群に含まれる離散化Ｌ＊ａ＊ｂ＊値の設定を説明する図である。
【図１５】配合計算対象外Ｌ＊ａ＊ｂ＊群に含まれる離散化Ｌ＊ａ＊ｂ＊値の配合比率を算出する処理を説明する図である。
【発明を実施するための形態】
【００１６】
以下、図面を参照して、本発明の実施の形態について説明する。図１は、この発明の一実施形態による色材選択補助システム１の構成例を示す概略ブロック図である。
図１において、本実施形態による色材選択補助システム１は、色彩値設定部１１、色彩値変換部１２、分光反射率計算部１３、属性データ設定部１４、下地素材設定部１５、インキタイプ設定部１６、ＣＣＭ演算部１７、制御部１８、表示部１９、入力部２０、パラメータデータベース２１及び再現可能色域データベース２２を備えている。
【００１７】
図２は、再現可能色域データベース２２に記憶されている配合インキテーブルの構成例を示す図である。図２（ａ）は、配合インキテーブルの全体構成を示す概念図である。
配合インキテーブルには、ベースインキを配合して作成される配合インキに関する各種情報が示されている。以下、この各種情報について説明する。
配合インキ識別情報は、配合された配合インキを識別するための情報である。下地素材識別情報は、配合インキが彩色されている下地の素材（以下、下地素材）を識別するための情報である。分光反射率は、配合インキ識別情報の示す配合インキを下地素材に彩色した際の分光反射率（再現色彩値に対応する分光反射率）を示している。
【００１８】
色番号は、この配合インキ識別情報の示す配合インキの色を示す番号、例えばインキ会社の製造する配合色に付加されるカラーコードである。Ｌ＊ａ＊ｂ＊値（Ｌ＊ａ＊ｂ＊）は、ベースインキの配合色の分光反射率と、等色関数と、下地素材識別情報の示す下地素材の分光反射率と、照明の光源の分光特性とから求めた、Ｌ＊ａ＊ｂ＊空間における座標値（色彩値：再現される色彩値である再現色彩値）である。測定装置情報は、配合色を配合するために用いたベースインキの光学濃度を求める際に用いた分光反射率を測定した測定装置を識別するための製造会社、製品名及び製品番号などを含む情報である。
【００１９】
ここで、分光反射率の測定条件は、例えばミノルタ製の分光光度計（ＣＭ−２６００ｄ）を用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）である。これらの測定条件は、測定された分光反射率と共に、測定機名称や測定条件を記憶する。
ベースインキ情報は、配合インキ識別情報の示す配合色を配合するベースインキの情報である。
属性データは、配合インキの配合に用いたベースインキの価格帯、入手可能地域、その地域の化学物質法規制への対応情報、透明度、耐性データなどが含まれる。
【００２０】
図２（ｂ）は、図２（ａ）におけるベースインキ情報の詳細な構成を示す図である。この図２（ｂ）において、ベースインキ情報は、配合インキの配合に用いられたベースインキ各々のベースインキ識別情報と、それぞれの希釈率（メジウムなどで希釈）と、配合インキにおける配合比率と、ベースインキの上記希釈率での希釈後の分光反射率とで構成されている。
【００２１】
図３は、耐性データの一例としてオフセットインキ及びグラビアインキにおける耐性特性の種類とその耐性の説明が示されている。この耐性データは、それぞれの用途に対して用いられるために必要な特性、例えば図３のテーブルに示す耐光性、耐アルカリ性、耐溶剤性、耐水性、耐酸性、耐ボイル性、耐レトルト性などである。
この図４において、耐光性は、蛍光灯や太陽光に含まれる紫外線による色褪せの程度に対する耐性の評価を示している。また、耐アルカリ性は、アルカリ性を有する環境による色褪せ及び変色に対する耐性の評価を示している。耐溶剤性は、付着した溶剤による色褪せ及び変色に対する耐性の評価を示している。耐水性は、付着した水による色褪せ及び変色に対する耐性の評価を示している。耐酸性は、付着した酸性を有する液体による色褪せ及び変色に対する耐性の評価を示している。耐ボイル性は、加熱された際の温度による色褪せ及び変色に対する耐性の評価を示している。耐レトルト性は、内容物の殺菌や加熱加工時された際の温度による色褪せ及び変色に対する耐性の評価を示している。ここでの評価は、実験によって求めた複数段階の耐性の強度を示す評価値となっている。
【００２２】
図４は、パラメータデータベース２１に予め書き込まれて記憶されている下地素材テーブルの構成を示している。この図４において、下地素材テーブルには、図２における下地素材識別情報と、この下地素材識別情報の示す下地素材（原反）の素材名称と、この下地素材の分光反射率とが対応して記憶されている。素材名称としては、例えば、コート紙やアルミ（アルミニウム）などの彩色する下地の素材の名称がある。この分光反射率は、下地素材を識別する下地素材識別情報と、この下地素材識別情報が示す素材の名称である素材名称と、この素材の分光反射率のデータとが組みとして構成されている。分光反射率は３８０ｎｍから７８０ｎｍまで、１０ｎｍ刻みで記憶されている。また、このパラメータデータベース２１には、等色関数が記憶されている。
【００２３】
ここで、分光反射率は、例えばミノルタ製の分光光度計（ＣＭ−２６００ｄ）を用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）である。これらの測定条件は、測定された分光反射率と共に、測定機名称や測定条件を記憶する。
【００２４】
図５は、パラメータデータベース２１に予め書き込まれて記憶されているベースインキテーブルの構成を示している。この図５において、ベースインキテーブルは、例えば、ベースインキを識別するベースインキ識別情報と、このベースインキ識別情報が示すベースインキの種類の名称と、このインキベースの色を示す色名称と、このベースインキの色材濃度と光学濃度（分光反射率から以下の（１）式により算出される数値）のデータ（後述する波長λ毎）と、印刷可能な下地素材の名称である下地対応情報と、単位当たりの価格と、ベースインキの透明度と、ベースインキの耐性特性の評価値を示す耐性データと、このベースインキを入手及び使用可能な地域や、その地域の化学物質法規制への対応情報などと、分光反射率を測定した測定装置情報と、分光反射率を測定する際の測定条件として照明の種類とが組みとして構成されている。属性データとしては、透明度、価格、耐性データなどである。
【００２５】
【数１】
2014195172.tif 000003
【００２６】
上記（１）式において、Ｎが光学濃度であり、Ｒが分光反射率であり、ｘが任意の係数である。
【００２７】
また、ここで、ベースインキの種類としては、油性オフセットインキ、ＵＶ（紫外線）硬化型インキ、グラビアインキ、フレキソインキ、シルクスクリーン印刷インキ及び金属インキなどである。色名称としては、例えば、赤色、黄色、青色、緑色、橙色などである。また、下地対応情報とは、印刷可能な下地素材の名称が記載され、全部とされているときは全ての下地素材に対応可能であることを示している。価格は所定の単位毎、例えば１ｋｇ（キログラム）毎の標準販売価格が記載されている。
【００２８】
測定装置情報は、分光反射率を測定したメーカー、製品名及び型番に加えてフィルタ有無や鏡面反射成分の有無などの測定条件などが記載されている。分光反射率の測定条件は、例えばミノルタ製の分光光度計  ＣＭ−２６００ｄを用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）である。これらの測定条件は、光学濃度を求めるために測定された分光反射率及び分光反射率を測定した測定機名称とともに、ベースインキデータベース１９のベースインキテーブルに書き込んで記憶させる。この測定条件については下地素材の分光反射率の場合と同様である。また、透明度は、そのベースインキの展色物（例えば、顔料を均等に分散・付着させる媒体である展色材）を評価する事によって求められ、例えば０−５の数値に置き換えられる。また、色彩値であるＬ＊ａ＊ｂ＊値は、例えばＤ５０／２度視野による計算値とし、その計算方法はＪＩＳ  Ｚ８７２９にある方法を使用する。
【００２９】
図１に戻り、色彩値設定部１１は、再現したい色を示す色彩値のデータ、例えばＲＧＢ（Ｒｅｄ、Ｇｒｅｅｎ、Ｂｌｕｅ）、ＣＭＹＫ（Ｃｙａｎ、Ｍａｇｅｎｔａ、Ｙｅｌｌｏｗ、Ｂｌａｃｋ）、Ｌ＊ａ＊ｂ＊値（Ｌ＊ａ＊ｂ＊色空間における座標値）、マンセル（Ｍｕｎｓｅｌｌ）値、カラーナンバー（Ｃｏｌｏｒ  Ｎｏ．）の各々の入力欄を、表示部１９に表示する。カラーナンバーは、配合インキの製造会社毎に異なるため、後述する絞り込みにより会社を指定する必要がある。
【００３０】
属性データ設定部１４は、配合インキの選択を行う際の絞り込みを行う耐性データの種類と評価値とを入力するための入力欄を表示部１９に表示させる。
下地素材設定部１５は、配合インキを彩色する下地素材（原反）の選択を行うための入力欄を表示部１９に表示させる。下地素材としては、スクリーン紙、アルミ（アルミニウム）、プラスチック、ビニール、セラミックなどがある。
インキタイプ設定部１６は、彩色する下地素材に用いるベースインキの種類の選択を行うための入力欄を表示部１９に表示させる。ベースインキの種類は、ＵＶ（紫外線）硬化型インキ、オフセットインキ、グラビアインキ、フレキソインキ、シルクスクリーン印刷インキ及び金属インキなどである。
【００３１】
図６は、表示部１９に表示される、下地素材の選択、インキタイプの選択、再現したい色の色彩値のデータ、属性データの入力画面１００の一例を示す図である。
原反（下地素材）の入力欄１０１は、矢印ボタン１０１Ａが設けられている。上記下地素材設定部１５は、操作者がこの矢印ボタン１０１Ａをポインティングデバイスによりクリックしたことを検出すると、下地素材の名称の一覧表を表示する。そして、下地素材設定部１５は、操作者がこの一覧表から選択した下地素材の名称に対応する下地素材識別情報を、パラメータデータベース２１の下地素材テーブルから読み出す。
【００３２】
インキタイプの入力欄１０２は、矢印ボタン１０２Ａが設けられている。上記インキタイプ設定部１６は、操作者がこの矢印ボタン１０２Ａをポインティングデバイスによりクリックしたことを検出すると、下地素材の彩色に使用することが可能なインキタイプの名称の一覧表を表示する。そして、インキタイプ設定部１６は、操作者がこの一覧表から選択したインキタイプの名称に対応するインキタイプを、彩色に使用するインキタイプとする。
【００３３】
色彩値のデータの入力欄は、ＲＧＢ用の入力欄１０３と、ＣＭＹＫ用の入力欄１０４と、Ｍｕｎｓｅｌｌ用の入力欄１０５と、Ｌ＊ａ＊ｂ＊値用の入力欄１０６、カラーナンバー用の入力欄１０７とがある。上記色彩値設定部１１は、入力欄１０３、入力欄１０４、入力欄１０５、入力欄１０６及び入力欄１０７のいずれかの入力欄に入力された色彩値を、彩色する配合インキの色彩値とする。
【００３４】
絞り込み（属性データ）の入力欄１０８は、１個または複数のいずれを設けるようにしても良い。本実施形態においては３個の場合、矢印ボタン１０８_１Ａ、矢印ボタン１０８＿２Ａ及び矢印ボタン１０８＿３Ａとして説明する。上記属性データ設定部１４は、矢印ボタン１０８_１Ａ、矢印ボタン１０８＿２Ａ及び矢印ボタン１０８＿３Ａに入力される属性データを、彩色に用いる配合色の選択に用いる絞り込み用データとする。また、属性データ設定部１４は、操作者がこの矢印ボタン１０８＿１Ａをポインティングデバイスによりクリックしたことを検出すると、属性データの名称の一覧表を表示する。そして、属性データ設定部１４は、操作者がこの一覧表から選択した属性データの名称に対応する選択する数値あるいは名称の一覧表を表示する。属性データ設定部１４は、操作者がこの一覧表から選択した数値あるいは名称を、彩色に用いる配合インキの選択の絞り込みに用いる。
【００３５】
また、入力画面１００には、原反、インキタイプ、色彩値のデータ及び絞込みのデータの各々が入力された後、検索を開始するための検索ボタン１０９が設けられている。
上記制御部１８は、操作者がこの検索ボタン１０９をポインティングデバイスによりクリックしたことを検出すると、原反、インキタイプ、色彩値のデータ及び絞込みのデータの各々が含まれる検索データに対応した配合インキの検索を、再現可能色域データベース２２において行う。
【００３６】
図１に戻り、色彩値変換部１２は、色彩値設定部１１から供給される色彩値がＬ＊ａ＊ｂ＊値及びカラーナンバーであるか否かの判定を、いずれの入力欄のデータであるかにより行う。すなわち、色彩値変換部１２は、予めＬ＊ａ＊ｂ＊値に対応した入力欄１０６とカラーナンバーに対応した入力欄１０７から抽出したか、入力欄１０６または入力欄１０７以外の入力欄１０３、入力欄１０４、入力欄１０５及び入力欄１０７のいずれかから抽出したかにより、色彩値がＬ＊ａ＊ｂ＊値か否かの判定を行う。また、色彩値変換部１２は、Ｌ＊ａ＊ｂ＊値以外の色彩値であるＢＲＧ、ＣＹＭＫ及びＭｕｎｓｅｌｌの各々をＬ＊ａ＊ｂ＊値に変換する処理を行う。
【００３７】
色彩値変換部１２は、各々の入力欄から色彩値の種類を判別し、この入力欄の色彩値をＬ＊ａ＊ｂ＊値に変換する変換式を、パラメータデータベース２１から読み出す。例えば、色彩値変換部１２は、色彩値設定部１１から供給される色彩値が入力欄１０３から供給された場合、この色彩値がＲＧＢであると判定し、ＲＧＢからＬ＊ａ＊ｂ＊値に変換する変換式を、パラメータデータベース２１から読み出し、この変換式を用いて色彩値をＲＧＢからＬ＊ａ＊ｂ＊値に変換する。他のＣＹＭＫ、Ｍｕｎｓｅｌｌについても同様である。また、カラーナンバーについては、色彩値ではないため、ＲＧＢ、Ｌ＊ａ＊ｂ＊値及びＣＹＭＫと異なるため、変換の処理を行わない。すなわち、色彩値変換部１２は、カラーナンバーとこのカラーナンバーのＬ＊ａ＊ｂ＊値とが対応して記憶されている色番号テーブルから、カラーナンバーに対応したＬ＊ａ＊ｂ＊値を読み出すことにより色彩値の変換処理を行う。この色番号テーブルは、パラメータデータベース２１に予め書き込まれて記憶されている。
【００３８】
分光反射率計算部１３は、ＲＧＢ、ＣＹＭＫ、Ｍｕｎｓｅｌｌ及びＬ＊ａ＊ｂ＊値の各々を、所定の変換式により分光反射率に変換する。ここで、分光反射率計算部１３は、ＲＧＢから分光反射率に変換する変換式、ＣＹＭＫから分光反射率に変換する変換式、Ｍｕｎｓｅｌｌから分光反射率に変換する変換式及びから分光反射率に変換する変換式の各々をパラメータデータベース２１から読み出し、所定の変換式として色彩値から分光反射率への変換を行う。
【００３９】
表示部１９は、例えば、ＬＣＤ（Ｌｉｑｕｉｄ  Ｃｒｙｓｔａｌ  Ｄｉｓｐｌａｙ：液晶ディスプレイ）などである。
入力部２０は、詳細な図示はしていないが、キーボード及びポインティングデバイスにより、図６に示す入力欄に対して各種データを書き込む機能を有している。
【００４０】
次に、図７は、表示部１９に表示される、図６の各々の入力欄に書き込まれたデータにより検索された配合インキを下地素材に彩色した結果を示す検索結果画面１１０の一例を示す図である。この図７の表示処理については、制御部１８が行う。
この図７において、入力欄１０１には、操作者が図６の入力画面１００で入力した原反（下地素材）の名称がそのまま表示されている。また、入力欄１０２には、操作者が図６の入力画面１００で入力したインキタイプの名称がそのまま表示されている。入力欄１０３には、操作者が図６の入力画面１００で入力した色彩値を示すデータとしてのＲＧＢの数値がそのまま表示されている。
ここで、操作者が色彩値をＣＹＭＫにより入力した場合、図７の入力欄１０３の位置に図６の入力欄１０４における色彩値を示すデータとしてのＣＹＭＫの数値が表示され、色彩値をＭｕｎｓｅｌｌにより入力した場合、図７の入力欄１０３の位置に図６の入力欄１０５における色彩値を示すデータとしてのＭｕｎｓｅｌｌの数値が表示されている。また、操作者がカラーナンバーを色彩値を示すデータとして用いた場合、入力欄１０７のカラーナンバーの数値が表示されている。
【００４１】
また、表示領域１２０には、操作者が入力した検索データの色彩値が再現された配合インキの情報、すなわち操作者が入力した色彩値が下地素材に彩色された際に再現される配合インキの情報が提示されている。ここで、配合インキの情報は、例えば、列領域２０１、列領域２０２、列領域２０３、列領域２０４及び列領域２０５の各々に表示される。ここで、制御部１８は、矢印ボタン１２０Ａをポインティングデバイスでクリックしたり、またはつまみ表示１２０Ｂをポインティングデバイスなどにより移動させることにより、検索結果の表示範囲を表示領域１２０の中で移動させる。この表示領域１２０に表示される検索結果は、例えば第１の照明（ＬＳ１：基準光源）、第２の照明（ＬＳ２：基準光源ＬＳ１以外の他の光源）及び第３の照明（ＬＳ３：基準光源ＬＳ１及び他の光源ＬＳ２以外の他の光源）の各々の光源下で観察される色が表示される。
【００４２】
ここで、この検索結果画面１１０及び後述する検索結果詳細画面１５０の各々は、標準光源Ｄ５０の下で観察されるように表示される。すなわち、標準光源Ｄ５０の下で観察することにより、照明ＬＳ１において標準光源Ｄ５０の照明の下で観察される再現色が表示され、例えば照明ＬＳ２において代表的な蛍光灯の下で観察される再現色が表示され、照明ＬＳ３において代表的な白熱球の下で観察される再現色が表示される。すなわち、図２（ａ）のＬ＊ａ＊ｂ＊値と、図２（ｃ）におけるＬ＊ａ＊ｂ＊値とが表示されることになる。また、コード（Ｃｏｄｅ）は、色番号が表示される。ＲｅｇＡ、ＲｅｇＢ、…は耐性データの種類の名称を示しており、耐性データの評価値が各列領域２０１、列領域２０２、…の各々に示されている。
【００４３】
絞り込み（属性データ）の入力欄１０８（１０８＿１、１０８＿２、１０８＿３）は、検索結果画面１１０にも表示され、さらなる絞込みを行うために設けられている。操作者は、検索結果画面１１０における表示された検索結果の配合インキの数が多い場合、さらに使用に適した配合インキを選択するための属性データをこの入力欄１０８に書き込む。
戻るボタン１１１は、検索結果の配合インキが適した再現色が得られ場合、図６の入力画面１００に戻すために用いられる。
【００４４】
次へボタン１１２は、次の処理を実行するために用いられる。すなわち、操作者が表示領域１２０に表示される領域、例えば列領域２０１をポインティングデバイスにより選択し、次へボタン１１２をクリックすることにより、後述する検索結果詳細画面１５０が表示部１９に表示される。
また、操作者が絞込みの入力欄１０８に対し、絞込みの属性データを書き込んだ後、次へボタン１１２をクリックすると、再度絞り込みの検索が行われ、図７の検索結果画面１１０が再表示される。
【００４５】
図８は、表示部１９に表示される、図７の検索結果画面１１０で選択した配合インキの詳細な情報を示す検索結果詳細画面１５０の一例を示す図である。この図８の表示処理については、制御部１８が行う。
この図８において、入力欄１０１には、操作者が図６の入力画面１００で入力した原反（下地素材）の名称がそのまま表示されている。また、入力欄１０２には、操作者が図６の入力画面１００で入力したインキタイプの名称がそのまま表示されている。
表示領域１５１には、図７の検索結果画面１１０で選択した配合インキの再現色が、第１の照明ＬＳ１、第２の照明ＬＳ２及び第３の照明ＬＳ３の照明下に対応して表示される。
【００４６】
入力欄１０３には、操作者が図６の入力画面１００で入力した色彩値を示すデータとしてのＲＧＢの数値がそのまま表示されている。Ｃｏｄｅ表示欄１５２には、図７の検索結果画面１１０で選択された配合インキのコード（Ｃｏｄｅ）としての色番号が表示される。
表示領域１６０には、配合されたベースインキの種類（色名称及び希釈率）及び配合されたベースインキの配合比率などのインキの配合情報が表示される。すなわち、図２（ｂ）の情報が表示される。また、表示領域１６０には、配合インキの耐性データや透明度などの属性情報が表示される。
【００４７】
制御部１８は、矢印ボタン１６０Ａがポインティングデバイスによりクリックされた場合、表示領域１６０の表示画面を下方向に移動させ、一方、矢印ボタン１６０Ｂがクリックされた場合、表示領域１６０の表示画面を上方向に移動させる。制御部１８は、つまみ表示１６０Ｂがポインティングデバイスにより移動された場合、移動方向に表示領域１６０の表示画面を移動させる。制御部１８は、出力ボタン１６１がポインティングデバイスによりクリックされた場合、例えばプリンタから表示領域１５１及び表示領域１６０に表示されている画像を印刷させる。制御部１８は、ＯＫボタン１６２がポインティングデバイスによりクリックされた場合、処理を終了する。
【００４８】
次に、図９は、本実施形態の色材選択補助システム１における、操作者が入力した検索データに基づいた配合インキの検索処理を示すフローチャートである。以下、図６、図７、図８及び図９を用い、色材選択補助システム１における検索データによる配合インキの検出処理を説明する。
ステップＳ０：
色材選択補助システム１が起動されると、色彩値設定部１１は、色彩値を示すデータとしてのＲＧＢの入力欄１０３、入力欄１０４、入力欄１０５、入力欄１０６及び入力欄１０７の各々を、表示部１９において図６の入力画面１００に表示する。
【００４９】
属性データ設定部１４は、絞り込みに用いる属性データを記入する入力欄１０８＿１、入力欄１０８＿２及び入力欄１０８＿３の各々を、表示部１９において図６の入力画面１００に表示する。
下地素材設定部１５は、下地素材の種類を入力する入力欄１０１を、表示部１９において図６の入力画面１００に表示する。
インキタイプ設定部１６は、検索する配合色のインキタイプの種類を入力する入力欄１０２を、表示部１９において図６の入力画面１００に表示する。
【００５０】
ステップＳ１：
操作者が図６の入力画面１００における入力欄１０１における矢印ボタン１０１Ａを、ポインティングデバイスでクリックする。
矢印ボタン１０１Ａがクリックされたことを検出すると、下地素材設定部１５は、パラメータデータベース２１に記憶されている図４の下地素材テーブルから、下地素材の名称を読み出して表示部１９における入力画面１００上に一覧表を表示する。
そして、操作者が入力画面１００に表示された一覧表からいずれかの下地素材の名称を選択する。これにより、下地素材設定部１５は、操作者の選択した下地素材の名称に対応する下地素材識別情報をパラメータデータベース２１の下地素材テーブルから検索して読み出し、自身の内部記憶部に一旦書き込んで記憶させる。
【００５１】
ステップＳ２：
操作者が図６の入力画面１００における入力欄１０２における矢印ボタン１０２Ａを、ポインティングデバイスでクリックする。矢印ボタン１０１Ａがクリックされたことを検出すると、インキタイプ設定部１６は、パラメータデータベース２１に記憶されている図５のベースインキテーブルから、ベースインキのインキの種類の名称を読み出して表示部１９における入力画面１００上に一覧表を表示する。
そして、操作者が入力画面１００に表示された一覧表からいずれかのベースインキの種類の名称を選択する。これにより、インキタイプ設定部１６は、操作者の選択したベースインキの種類の名称を、自身の内部記憶部に一旦書き込んで記憶させる。
【００５２】
ステップＳ３：
操作者が図６の入力画面１００における入力欄１０３におけるＲＧＢのデータ、すなわちＲＧＢの各々の階調度を入力する欄を、ポインティングデバイスで順次選択し、再現させたい色彩値のＲＧＢの各々の階調度をキーボード等の入力手段により書き込む。
そして、操作者が入力画面１００における入力欄１０３におけるＲＧＢの各々の入力欄の全てに階調度を書き込んだことを検出すると、色彩値設定部１１は、操作者が入力欄１０３に書き込んだ階調度のデータを、自身の内部記憶部に一旦書き込んで記憶させる。
【００５３】
ステップＳ４：
操作者が図６の入力画面１００における入力欄１０８における矢印ボタン、例えば入力欄１０８＿１の矢印ボタン１０８＿１Ａを、ポインティングデバイスでクリックする。矢印ボタン１０８＿１Ａがクリックされたことを検出すると、属性データ設定部１４は、属性データの種類の名称の一覧表を表示部１９における入力画面１００上に表示する。
そして、属性データ設定部１４は、操作者が名称の一覧表からいずれかを選択すると、選択された名称の評価値などを書き込む入力欄を新たに表示する。操作者がこの評価値などを書き込む入力欄に対し、一覧表から選択した属性データの評価値などを書き込んだことを検出すると、属性データ設定部１４は、操作者が入力欄に書き込んだ一覧表から選択した属性データの評価値などを、自身の内部記憶部に一旦書き込んで記憶させる。他の入力欄１０８＿２及び入力欄１０８＿３も、ポインティングデバイスにより操作者に選択された場合、同様の処理が行われる。
【００５４】
ステップＳ５：
次に、操作者は、入力画面１００の各入力欄にそれぞれ対応したデータを書き込み、入力画面１００の検索ボタン１０９を、ポインティングデバイスによりクリックする。
この検索ボタン１０９がクリックされたことを検出すると、制御部１８は、色彩値設定部１１、属性データ設定部１４、下地素材設定部１５及びインキタイプ設定部１６の各々から、それぞれの内部記憶部に記憶されている検索用のデータを読み込む。
そして、制御部１８は、色彩値設定部１１から読み込んだＲＧＢのデータを制御信号に付加し、色彩値変換部１２に対して出力して、ＲＧＢからＬ＊ａ＊ｂ＊値への変換を指示する。
【００５５】
色彩値変換部１２は、パラメータデータベース２１から、ＲＧＢをＬ＊ａ＊ｂ＊値へ変換する変換式を読み込み、制御部１８から供給されたＲＧＢをＬ＊ａ＊ｂ＊値に変換する。そして、色彩値変換部１２は、変換結果のＬ＊ａ＊ｂ＊値を制御部１８に出力する。
色彩値変換部１２からＬ＊ａ＊ｂ＊値が供給されると、制御部１８は、原反、インキタイプ、Ｌ＊ａ＊ｂ＊値のデータ及び絞込みのデータの各々が含まれる検索データに対応した配合インキの検索を、再現可能色域データベース２２において行う。
【００５６】
ステップＳ６：
制御部１８は、再現可能色域データベース２２から検索データに対応した配合インキのデータを抽出し、図７に示す検索結果画面１１０として表示する。
このとき、制御部１８は、表示部１９において検索結果画面１１０に照明毎の彩色結果の再減色を表示するため、表示する配合インキの図２（ａ）における基準光源のＬ＊ａ＊ｂ＊値及び図２（ｃ）における他の光源におけるＬ＊ａ＊ｂ＊値の各々を付加した制御信号を色彩値変換部１２に出力し、Ｌ＊ａ＊ｂ＊値からＲＧＢへの変換を指示する。
色彩値変換部１２は、Ｌ＊ａ＊ｂ＊値からＲＧＢに変換する制御信号が供給されると、パラメータデータベース２１から、Ｌ＊ａ＊ｂ＊値からＲＧＢに変換する変換式を読み出す。
【００５７】
そして、色彩値変換部１２は、読み出した変換式により、供給されるＬ＊ａ＊ｂ＊値の各々を、それぞれＲＧＢに変換し、変換したＲＧＢを制御部１８へ出力する。
そして、制御部１８は、色彩値変換部１２にから供給されたＲＧＢを用い、検索結果画面１１０の表示領域１２０における列領域２０１、列領域２０２、列領域２０３、列領域２０４及び列領域２０５の第１の照明（ＬＳ１）、第２の照明（ＬＳ２）及び第３の照明（ＬＳ３）の再現色を表示する。
【００５８】
ここで、第１の照明（ＬＳ１）の色彩値は、配合インキテーブルにおける測定条件に示す光源下で観察された場合の再現色を示している。また、第２の照明（ＬＳ２）及び第３の照明（ＬＳ３）の各々における色彩値については、制御部１８が分光反射率と等色関数と、第２の照明の光源及び第３の照明の光源の第１の照明の光源に対する分光放射強度とから算出する。第２の照明の光源及び第３の照明の光源の分光放射強度は、図示しない入力欄などから操作者が入力する。ここで、分光放射強度は、標準光源とした第１の照明（ＬＳ１）の分光放射照度に対する比率を示している。すなわち、制御部１８は、測定条件の光源下において観察した際、あたかも第２の照明及び第３の照明のそれぞれの光源下で観察される再現色として、第２の照明及び第３の照明における色彩値を、分光反射率と等色関数と、第２の照明の光源及び第３の照明の光源の第１の照明の光源に対する分光放射強度とを用いて予め設定された関係式により算出する。
【００５９】
また、制御部１８は、表示領域１２０に表示されている配合インキ間の第１の照明、第２の照明及び第３の照明の各々により、照明された場合の色を、列領域２０１から列領域２０５の各々に表示する。
この検索結果画面１１０において、属性データ設定部１４は、入力画面１００と同様に、入力欄１０８の表示を行う。
【００６０】
ステップＳ７：
制御部１８は、検索結果画面１１０における戻るボタン１１１がポインティングデバイスによりクリックされた場合、処理をステップＳ１に戻す。また、制御部１８は、検索結果画面１１０の表示領域１２０においていずれかの配合インキを選択され、次ぎへボタン１１２がポインティングデバイスによりクリックされた場合、処理をステップＳ１０へ進る。また、制御部１８は検索結果画面１１０における入力欄１０８にデータが書き込まれて次ぎへボタン１１２がポインティングデバイスによりクリックされた場合、処理をステップＳ８へ進める。
【００６１】
ステップＳ８：
属性データ設定部１４は、属性データの種類の名称の一覧表を表示部１９における入力画面１００上に表示する。
そして、属性データ設定部１４は、操作者が名称の一覧表からいずれかを選択すると、選択された名称の評価値などを書き込む入力欄を新たに表示する。操作者がこの評価値などを書き込む入力欄に対し、一覧表から選択した属性データの評価値などを書き込んだことを検出すると、属性データ設定部１４は、操作者が入力欄に書き込んだ一覧表から選択した属性データの評価値などを、自身の内部記憶部に一旦書き込んで記憶させる。他の入力欄１０８＿２及び入力欄１０８＿３も、ポインティングデバイスにより操作者に選択された場合、同様の処理が行われる。
【００６２】
次に、属性データ設定部１４は、操作者が入力欄１０８に書き込んだ評価値などの属性データを、自身の記憶部から読み出し、制御部１８に対して出力する。
制御部１８は、ステップＳ５における配合インキの検索に用いた検索データに対して、新たに操作者が入力した属性データを加えて、再度、この検索データに対応した配合色を再現可能色域データベース２２において検索する。
【００６３】
ステップＳ９：
制御部１８は、再現可能色域データベース２２から検索データに対応した配合インキのデータを再抽出し、図７に示す検索結果画面１１０として新たに表示する。
この検索結果画面１１０において、属性データ設定部１４は、ステップＳ６の場合と同様に、入力画面１００と同様に、入力欄１０８の表示を行い、処理をステップＳ７へ戻す。
【００６４】
ステップＳ１０：
制御部１８は、次ぎへボタン１１２がポインティングデバイスによりクリックされて選択されたため、この選択された配合インキの配合インキ識別情報に対応した配合インキの属性データなどの配合インキの情報を、再現可能色域データベース２２から抽出する。
【００６５】
ステップＳ１１：
そして、制御部１８は、再現可能色域データベース２２０から読み出した配合インキの情報を、図８に示す検索結果詳細画面１５０の表示領域１６０に表示する。
制御部１８０は、出力ボタン１６１がポインティングデバイスによりクリックされると、図示しないプリンタから配合インキの彩色結果の印刷物を出力させる。
また、制御部１８０は、ＯＫボタン１６２がポインティングデバイスによりクリックされると、全ての処理を終了する。
【００６６】
次に、上述した図９のステップＳ１１において、操作者が出力ボタン１６１をポインティングデバイスでクリックした際のプリンタによる印刷について説明する。
制御部１８は、出力ボタン１６１がポインティングデバイスによりクリックされると、選択された列領域の配合インキの再現色のＲＧＢあるいはＬ＊ａ＊ｂ＊値を、プリンタが印刷用紙に印刷する色彩値に変換する。制御部１８は、表示に用いられる色彩値を、プリンタが印刷用紙に印刷する色彩値への変換の処理を色彩値変換部１２に依頼する。
ここで、色彩値変換部１２は、表示に用いられる色彩値を、プリンタが印刷用紙に印刷する色彩値への変換に用いる変換式を、パラメータデータベース２１から読み出す。
【００６７】
そして、色彩値変換部１２は、読み出した変換式により、ＲＧＢあるいはＬ＊ａ＊ｂ＊値を、プリンタが印刷用紙に印刷する色彩値に変換し、変換結果を制御部１８に出力する。
制御部１８は、変換結果の色彩値が色彩値変換部１２から供給されると、この色彩値をプリンタに送信して、印刷用紙に対する再現色の印刷を行わせる。
ここで、印刷用紙に印刷される再現色は、基準光源Ｄ５０／２度視野の照明下でみるように色彩値が、公知の計算方法により求められる。この公知の計算方法は、「ＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ）  １５９−２００４，Ａ  ｃｏｌｏｒ  ａｐｐｅａｒａｎｃｅ  ｍｏｄｅｌ  ｆｏｒ  ｃｏｌｏｒ  ｍａｎａｇｅｍｅｎｔ  ｓｙｓｔｅｍｓ：ＣＩＥＣＡＭ０２」に記載されている。この計算式は、色順応を考慮した色の見えを計算するもので、指定された光源下の「色順応を考慮した」色をカラープリンタで印刷する際の色彩値を求める。また、表示部１９（ディスプレイ）に表示する色も光源による色順応を前記式を適用して求める。
これにより、操作者が基準光源５０の照明下で観ると、第１の照明（ＬＳ１）の印刷された色がが基準光源Ｄ５０の照明下で観た再現色となり、第２の照明（ＬＳ２）の印刷された色が第２の照明下で観た再現色となり、第３の照明（ＬＳ３）の印刷された色が第３の照明下でみた再現色となる。
【００６８】
次に、図９のステップＳ１１において、操作者の選択した配合インキの補正処理について説明する。
操作者が図６の入力画面１００における入力欄１０７にカラーナンバー及びＬ＊ａ＊ｂ＊値を書き込む以外、ＲＧＢ、ＣＹＭＫ、Ｍｕｎｓｅｌｌを変換式により、Ｌ＊ａ＊ｂ＊値に変換して、このＬ＊ａ＊ｂ＊値に対応する配合インキを求め、この配合インキの分光反射率を求める。
この求めた配合インキの分光反射率は、ベースインキの配合比率から算出された数値であり、実際の印刷における配合や印刷条件などのばらつきによる誤差により、配合インキを実際に下地素材に彩色した展色物の彩色値と一致しない場合がある。このような場合、配合インキの配合比率を調整し、配合インキの分光反射率に近似させる必要がある。
【００６９】
このため、制御部１８は、操作者が指定した設定配合比率に対し、実際に下地素材に彩色した展色物の分光反射率を測定した測定分光反射率を付加し、ＣＣＭ演算部１７に対して補正処理を依頼する。
ＣＣＭ演算部１７は、配合インキ識別情報に対応するベースインキ情報（図２（ｂ）参照）を読み出すとともに、操作者が書き込んだ測定分光反射率が制御部１８から供給される。
そして、ＣＣＭ演算部１７は、ベースインキの配合比率から求めた再現可能色域データベース２２から読み出した分光反射率と、操作者が入力した測定分光反射率とにより、以下に示す、ベースインキの配合比率の調整を行う。ここで、分光反射率と測定分光反射率との差分は、ＣＣＭ理論式の計算誤差（理論誤差及び実験誤差の双方を含む）である。
【００７０】
次に、ＣＣＭ演算部１７は、分光反射率の光学濃度と測定分光反射率の光学濃度を求め、分光反射率から求めた光学濃度と、測定分光反射率から求めた光学濃度の差分として光学濃度差を算出する。そして、ＣＣＭ演算部１７は、この算出した光学濃度差を反映させて、配合インキの配合比率の再計算を行う。ここで、ＣＣＭ演算部１７は、例えば、上述した光学濃度差に対応して配合比率の調整量を予め設定しておき、この調整量により配合比率の補正を行う。また、ＣＣＭ演算部１７は、分光反射率の差分が予め設定した閾値以下となるとこの補正の計算を終了する。
【００７１】
ここで、ＣＣＭ演算部１７は、分光反射率でなく光学濃度の差分が予め設定した閾値以下となるとこの補正の計算を終了するように構成しても良い。さらに、ＣＣＭ演算部１７は、操作者が指定した単一もしくは複数の光源及び視野におけるＬ＊ａ＊ｂ＊値を用いて、分光反射率の差分あるいは光学濃度の差分が閾値以下となったときとしても良い。
また、上述したＣＣＭ演算部１７の機能、すなわちベースインキの配合比率の修正計算機能は、一般的なＣＣＭシステムには備わっている。したがって、本実施形態においては、色材選択補助システム１内部にＣＣＭ演算部１７を設けずに、ユーザー（印刷会社やインキ会社等）が用いているＣＣＭシステムに対し、再現可能色域データベース２２から読み出した配合インキの配合比率と分光反射率とを提供し、ユーザーの保有しているＣＣＭシステムにて配合比率の修正を行うようにしても良い。
【００７２】
そして、ＣＣＭ演算部１７は、最終的に得られた補正分光反射率及びこのときの配合比率とを制御部１８に対して出力する。
これにより、制御部１８は、ＣＣＭ演算部１７から供給される配合インキの情報を、図８の表示領域１６０におけるベースインキの配合情報（インキ配合情報）として表示する。また、制御部１８は、表示領域１５１における第１の照明（ＬＳ１）、第２の照明（ＬＳ２）及び第３の照明（ＬＳ３）の各々の光源下で観察した際の再現色を表示する。
【００７３】
上述したように、本実施形態によれば、操作者が選択する下地素材と、耐性データ及び価格などの属性データとなどに対応させて、容易に下地素材に彩色した再現色を得るための配合インキを、予め準備した再現可能色域データベース２２から抽出することができる。
また、本実施形態によれば、デザイナーが調色を行った結果と遜色ない程度に、彩色を行う下地素材に対応させ、彩色する色を再現するベースインキの種類と、それらベースインキの配合比率とを、再現可能色域データベース２２から容易に求めることができる。
【００７４】
＜再現可能色域データベースの作成方法＞  
以下に、本実施形態における再現可能色域データベース２２における配合インキテーブルの生成方法を説明する。
以下、図面を参照して、本発明の実施の形態における再現可能色域データベースの作成ついて説明する。図１０は、この発明の一実施形態による色域データベース作成システム３の構成例を示す概略ブロック図である。
図１０において、色域データベース作成システム３は、素材設定部３１、ベースインキ選択部３２、コンビネーション設計部３３、初期配合設定部３４、分光反射率計算部３５、Ｌ＊ａ＊ｂ＊算出部３６、Ｌ＊ａ＊ｂ＊空間データ補完部３７、表示部３８、ベースインキデータベース３９及び素材データベース４０を備えている。また、色域データベース作成システム１０は、作成した色域データを、外部のすでに説明した再現可能色域データベース２２の配合インキテーブルに書き込む。
【００７５】
素材設定部３１は、素材データベース４０に予め書き込まれている、配合インキ（特色インキ）を印刷（特色印刷）する下地の素材の種類が書き込まれた下地素材テーブルから読み出し、素材の名称の素材名称の一覧表を表示部３８に表示し、この一覧表からの素材の選択を操作者に促す。
また、素材設定部３１は、表示部３８に表示された一覧表から操作者が素材を選択すると、選択された素材の下地素材識別情報をベースインキ選択部３２及び分光反射率計算部３５に対して出力する。
素材データベース４０には、図４に示す下地素材テーブルが、予め書き込まれて記憶されている。
【００７６】
ベースインキデータベース３９には、図５に示すベースインキテーブルが予め書き込まれて記憶されている。
ベースインキ選択部３２は、操作者の選択した下地素材の彩色に適用可能なベースインキを、ベースインキデータベース３９に記憶されているベースインキのなかから選択する。
また、ベースインキ選択部３２は、この選択した下地素材に適用可能なベースインキを、耐性データ、透明度及び価格などの属性データによってグルーピングする。例えば、耐光性が所定の数値より高いベースインキのグループ、耐酸性が所定の数値より高くかつ価格が所定の価格より安いベースインキのグループなどにグルーピング（分類）する。このグループを作成する耐性データ、透明度及び価格などの属性データの条件は、予め操作者が設定しておく。
【００７７】
ここで、ベースインキ選択部３２は、設定されているグループの属性データの組みを表示し、いずれの属性データの組みのグループを、配合色を生成するベースインキのグループとするかの選択を、操作者に対して促す。
また、ベースインキ選択部３２は、操作者が選択した属性データの組み合わせに対応するベースインキのグループを、コンビネーション設計部３３に対して出力する。
【００７８】
コンビネーション設計部３３は、操作者が選択したベースインキのグループが供給されると、このグループ内における異なるベースインキを２種類以上選択し、配合インキを配合するためのベースインキの組み合わせ（コンビネーション）を生成する。
上述したように、コンビネーション設計部３３は、ベースインキの異なる色の配合に際し、例えば２種類から３種類の異なる色のベースインキの配合する組み合わせを設定する。このとき、コンビネーション設計部３３が異なる色のベースインキの配合の組み合わせを設計する場合、一般的に用いられない色の組み合わせを、除外組み合わせとして予め設定しておく。
【００７９】
そして、コンビネーション設計部３３は、生成され色の組み合わせを確認し、この除外組み合わせが検出された場合、この組み合わせを削除して配合インキの色の設計から除外する。例えば、除外組み合わせは、橙色／紫色／草色や黄色／紫色／緑などの色合せ作業では一般的ではないベースインキの組み合わせである。また、色として用いられる可能性が低い色となる可能性のある、ベースインキの組み合わせを、上述した除外組み合わせに加えても良い。以下、この色の組み合わせを、配合インキ組と呼ぶ。
また、コンビネーション設計部３３は、作成した配合インキ組の各々を配合インキ組テーブルとして、ベースインキデータベース３９に書き込んで記憶させる。
【００８０】
初期配合設定部３４は、ベースインキデータベース３９の配合インキ組テーブルから順次、１つずつ配合インキ組を取り出す。
また、初期配合設定部３４は、配合インキ組を構成するベースインキ各々の組み合わせの割合を設定する。
例えば、配合インキ組が３種類のベースインキから構成されている場合、この３種類のベースインキＩ１、ベースインキＩ２及びベースインキＩ３の組み合わせる割合、ａ１：ａ２：ａ３を設定する。このとき、例えば、配合する割合の刻み幅は墨色を除く色を１０％とし、墨色の割合を２％とする。
【００８１】
また、例えば、ベースインキに使われる顔料の特性によって配合量が少ない場合に外的要因による退色が顕著になってしまう為にインキや印刷物の耐性性能に影響する様な配合量制限がある等の特性により、配合する割合の上限及び下限が存在するベースインキの種類においては、この割合の上限及び下限のいずれかあるいは双方を設定する。
一例として、墨色の場合には配合の割合の上限を３０％とし、淡色耐候性が配合する他のベースインキに比較して低いベースインキの場合には下限を２％とする。
そして、初期配合設定部３４は、１０％刻みで１つのインキベースで１０段階の割合とした場合、
[ａ１，ａ２，ａ３]
＝{[０．１，０．１，０．８]，…，[０．１，０．８，０．１]，…，[０．８，０．１，０．１]}
などの配合比率の集合を設計データとして生成する（ａ１＋ａ２＋ａ３＝１）。
【００８２】
分光反射率計算部３５は、初期配合の組合せに対する分光反射率及びＬ＊ａ＊ｂ＊値（Ｌ＊ａ＊ｂ＊色空間における座標値、すなわち色彩値）の算出を行う。ここで、分光反射率計算部３５は、配合インキの分光反射率を以下の（２）式及び上述した（１）により、配合したベースインキの各々の配合比率ａｉ及び光学濃度Ｎｉ（λ）とから、配合して得られた配合インキを下地素材に彩色した際の光学濃度Ｎｃ（λ）を算出して求める。ここで、ｉは配合するベースインキの数である。光学濃度は、例えば、波長λが３８０ｎｍから７８０ｎｍまで、１０ｎｍ刻みでベースインキデータベース３９に記憶されている。分光反射率計算部１５は、上記光学濃度と同様に、例えば波長λが３８０ｎｍから７８０ｎｍまで、１０ｎｍ刻みで配合インキの分光反射率を算出する。
【００８３】
【数２】
2014195172.tif 000004
【００８４】
上記（２）式において、Ｎｃは配合した配合インキを下地素材に彩色した際の光学濃度であり、Ｎｉは配合したベースインキの光学濃度であり、ａｉ（たとえば上記ａ１，ａ２，ａ３）は配合比率である。ｉは、配合するベースインキの種類の数である。また、分光反射率計算部１５は、下地素材の光学濃度Ｎｗを、下地素材テーブルから下地素材の分光反射率を読み出し、（１）式に代入して求める。
例えば、３種類のべースインキを用いて配合インキを配合する際（ｎ＝３）、配合インキ組の各々の初期配合の分光反射率は、分光反射率計算部３５において、以下の（２）式により算出される。例えば、赤色（光学濃度Ｎ１（λ））と緑色（光学濃度Ｎ２（λ））と青色（光学濃度Ｎ３（λ））との各々を、３：３：４の配合比率（ａ１＝０．３、ａ２＝０．３、ａ３＝０．４）で配合した場合、配合した配合インキを下地素材に彩色した際の分光反射率Ｒ（λ）ｃｏｍｐは、以下の（３）式のようになる。
【００８５】
【数３】
2014195172.tif 000005
【００８６】
また、上述したように、ベースインキ−ブルには、波長毎の光学濃度が予め書き込まれて記憶されている。この光学濃度を算出する際に用いる分光反射率は、例えばミノルタ製の分光光度計ＣＭ−２６００ｄを用いた場合は、積分球によるＤ／８（鏡面反射光取込）もしくはｄ／８（鏡面反射光非取込）や、Ｘ−Ｒｉｔｅ社製分光光度計  ＳｐｅｃｔｒｏＥｙｅ（登録商標）を用いた場合は、４５／０（フィルタ条件含む）の測定条件で測定されている。これらの測定条件は、測定された分光反射率と共に、測定機名称や測定条件を記憶する。また記憶している色彩値であるＬ＊ａ＊ｂ＊値は、例えばＤ５０／２度視野による計算値とし、その計算方法はＪＩＳ  Ｚ８７２９にある方法を使用する。
【００８７】
Ｌ＊ａ＊ｂ＊算出部３６は、分光反射率計算部３５が算出した配合インキの分光反射率Ｒ（λ）ｃｏｍｐと、等色関数と、照明の分光反射強度とから、予め設定された一般的な分光反射率からの変換を行う変換式を用いて、初期配合の配合インキ各々のＬ＊ａ＊ｂ＊値（下地素材に彩色された際の色彩値）の算出を行う。
【００８８】
図１１は、初期配合した配合インキ各々のＬ＊ａ＊ｂ＊値をＬ＊ａ＊ｂ＊色空間の各座標にプロットした図である。
図１に戻り、初期配合インキを配合する際、ベースインキの割合を所定の率、例えば１０％ずつ変化させて配合しても、図１１のＬ＊ａ＊ｂ＊色空間においては、各配合の座標が所定の間隔で求められる訳ではない。このため、後述するＬ＊ａ＊ｂ＊空間データ補完部３７は、図１１のＬ＊ａ＊ｂ＊色空間における座標値に対応するＬ＊ａ＊ｂ＊値が算出されておらず疎となっている領域のＬ＊ａ＊ｂ＊値を補完する。
【００８９】
Ｌ＊ａ＊ｂ＊空間データ補完部３７は、図１１のＬ＊ａ＊ｂ＊空間の座標値におけるＬ＊ａ＊ｂ＊値の有無の連続性を検出し、Ｌ＊ａ＊ｂ＊値が計算されていない疎の座標領域の検出を行う。例えば、Ｌ＊ａ＊ｂ＊空間データ補完部３７は、Ｌ＊ａ＊ｂ＊値のある座標値が「１」を超えて不連続である領域、すなわちＬ＊ａ＊ｂ＊値が計算されていない座標の距離が以上離れている間の座標値のＬ＊ａ＊ｂ＊値を補完する。この補完に関する詳細な処理は、後述するが、Ｌ＊ａ＊ｂ＊値を離散化Ｌ＊ａ＊ｂ＊値として配合比率の算出を行う。ここで、Ｌ＊ａ＊ｂ＊空間データ補完部１７は、Ｌ＊ａ＊ｂ＊空間において、すでに配合比率が求められている離散化Ｌ＊ａ＊ｂ＊値に対し、配合比率が求められていない離散化Ｌ＊ａ＊ｂ＊値の配合比率の計算対象とする。
そして、Ｌ＊ａ＊ｂ＊空間データ補完部３７は、配合比率が計算されていない離散化Ｌ＊ａ＊ｂ＊値を、目標の離散化Ｌ＊ａ＊ｂ＊値とし、この目標のＬ＊ａ＊ｂ＊値となる分光反射率を算出する。
【００９０】
すなわち、Ｌ＊ａ＊ｂ＊空間データ補完部３７は、分光反射率計算部３５に対し、Ｌ＊ａ＊ｂ＊値に隣接するＬ＊ａ＊ｂ＊値が計算された座標値における配合比率を変化させた補完配合比率を出力し、補完分光反射率を算出させる。そして、Ｌ＊ａ＊ｂ＊空間データ補完部３７は、分光反射率計算部３５の算出した補完分光反射率を用いて、Ｌ＊ａ＊ｂ＊算出部３６に予測値として補完Ｌ＊ａ＊ｂ＊値を算出させる。Ｌ＊ａ＊ｂ＊空間データ補完部３７は、Ｌ＊ａ＊ｂ＊算出部３６が算出した予測値である補完Ｌ＊ａ＊ｂ＊値と、補完配合比率を与えた目標の離散化Ｌ＊ａ＊ｂ＊値とが一致するか否かの判定を行う。
【００９１】
ここで、Ｌ＊ａ＊ｂ＊空間データ補完部３７は、補完Ｌ＊ａ＊ｂ＊値が補完配合比率を与えた座標値（後述する計算対象となっている離散化Ｌ＊ａ＊ｂ＊値）と予め設定されている所定の誤差内で一致した場合、この補完Ｌ＊ａ＊ｂ＊値をこの座標におけるＬ＊ａ＊ｂ＊値とする。また、Ｌ＊ａ＊ｂ＊空間データ補完部３７は、補完値を再現可能色域データベース１００の配合インキテーブルに、初期配合の配合インキのデータに対して、追加で書き込み記憶させる。
一方、Ｌ＊ａ＊ｂ＊空間データ補完部３７は、補完Ｌ＊ａ＊ｂ＊値が補完配合率を与えた座標値と予め設定されている所定の誤差内で一致しない場合、この補完Ｌ＊ａ＊ｂ＊値（Ｌ＊ａ＊ｂ＊空間における後述する疎の領域の座標に対応する計算対象とされる離散化Ｌ＊ａ＊ｂ＊値）を算出した際の補完配合比率を変化させ、所定の誤差範囲において一致するまで上述した処理を繰り返して行う。
【００９２】
次に、図１２は、本実施形態による色域データベース作成システム１０の配合インキテーブルの作成における動作を示すフローチャートである。以下、この図１２及び図１０を用いて、本実施形態による本実施形態による色域データベース作成システム１０の動作例を説明する。
ステップＳ２１：
素材設定部３１は、ベースインキを配合して生成する配合インキの下地となる下地素材を操作者に選択させるため、例えば、素材データベース４０に予め書き込まれている全ての種類の下地素材を表示部３８に一覧表示する。
そして、素材設定部３１は、操作者が上述した一覧表示からいずれかの下地素材を選択すると、その下地識別情報をベースインキ選択部３２及びＬ＊ａ＊ｂ＊算出部３６に対して出力し、処理をステップＳ２２へ進める。
【００９３】
ステップＳ２２：
ベースインキ選択部３２は、ベースインキデータベース３９に記憶されているベースインキから、操作者が選択した下地素材に対応するべースインキを選択し、表示部３８に対して一覧表示する。
このとき、ベースインキ選択部３２は、耐性データの種類、透明度及び価格などの属性データによりグルーピングされた状態で、分類して表示部３８に表示する。
そして、ベースインキ選択部３２は、操作者が選択したベースインキのグループを、配合インキを配合するためのベースインキとして使用するため、このグループに含まれるベースインキのベースインキ識別番号をコンビネーション設計部３３に対して出力し、処理をステップＳ２３へ進める。
【００９４】
ステップＳ２３：
コンビネーション設計部３３は、操作者が選択したグループのベースインキのベースインキ識別情報が供給されると、配合インキを配合するための、色成分３種類と希釈成分１種類の計４種類のベースインキの組合せを作成する。
このとき、コンビネーション設計部３３は、生成した組合せ毎に構成するベースインキの色を抽出し、この抽出した色の組合せにより、予め設定されている除外組合せであるか否かの判定を行い、除外組合せと同一の色の組合せで有る場合、この組合せを除去して削除する。
【００９５】
そして、コンビネーション設計部３３は、除外組合せを除去した残りの組合せを、再現可能色域データベース１００の配合インキテーブルに対し、配合するベースインキの組合せである配合インキ組として、順次書き込んで記憶させ、処理をステップＳ２４へ進める。また、コンビネーション設計部３３は、現在の配合インキ組の各々における下地素材情報の欄に、操作者の選択した下地素材の下地素材識別情報を書き込んで記憶させる。
【００９６】
ステップＳ２４：
初期配合設定部３４は、再現可能色域データベース１００の配合インキテーブルから、順番に配合インキ組を読み出す。
そして、初期配合設定部３４は、読み出した配合インキ組のベースインキの配合比率を示す配合比率を、所定の基準幅により変化させて、この初期配合における配合比率で配合する配合インキに対して配合インキ識別情報及び色番号を与え、再現可能色域データベース１００に書き込んで記憶させる。また、初期配合設定部３４は、この配合インキの配合に用いるベースインキのベースインキ識別情報と、それぞれの配合比率と、分光反射率とを、べースインキ情報として、他の属性データとともに、再現可能色域データベース２２の配合インキテーブルに書き込んで記憶させる。そして、初期配合設定部３４は、処理をステップＳ２５へ進める。
【００９７】
ステップＳ２５：
分光反射率計算部３５は、配合インキ組におけるベースインキの配合比率の各々に対応した配合インキの分光反射率を計算するため、再現可能色域データベース２２の配合インキテーブルから、ベースインキ情報を配合インキ識別情報の順番に読み出す。
次に、分光反射率計算部３５は、読み出したベースインキ情報における各ベースインキの配合比率及び分光反射率により、配合インキ毎の配合比率により配合インキの分光反射率を、（１）式により算出する。
【００９８】
そして、分光反射率計算部３５は、再現可能色域データベース２２の配合インキテーブルのそれぞれの配合インキ組の配合インキの分光反射率の欄に、算出した配合インキそれぞれの分光反射率を書き込んで記憶させる。
分光反射率計算部３５は、配合インキ組における配合比率のコンビネーションの全てに対する分光反射率の算出が終了すると、Ｌ＊ａ＊ｂ＊算出部３６に対してＬ＊ａ＊ｂ＊値の算出を指示する制御信号を出力する。
【００９９】
次に、Ｌ＊ａ＊ｂ＊算出部３６は、ベースインキデータベース３９から等色関数と、ベースインキの分光反射率を行った際の照明の分光反射強度とを読み出し、素材データベース４０から操作者の選択した下地素材の分光反射率を読み出す。
そして、Ｌ＊ａ＊ｂ＊算出部３６は、再現可能色域データベース２２の配合インキテーブルから、現在処理している配合インキ組の分光反射率を、配合インキ識別情報の順番に順次読み出す。
【０１００】
これにより、Ｌ＊ａ＊ｂ＊算出部３６は、読み出した順番に、配合比率毎の分光反射率と、読み出した等色関数と、照明の分光反射強度と、操作者の選択した下地素材の分光反射率とから、配合比率毎に下地素材に対応したＬ＊ａ＊ｂ＊値を求める
Ｌ＊ａ＊ｂ＊算出部３６は、求めたＬ＊ａ＊ｂ＊値をそれぞれの配合インキ識別情報に対応させ、再現可能色域データベース２２の配合インキテーブルに書き込み、処理をステップＳ２６へ進める。
【０１０１】
ステップＳ２６：
分光反射率計算部３５は、再現可能色域データベース２２の配合インキテーブルにおける配合インキ組における全てのインキの組合せに対する分光反射率の計算が終了し、かつＬ＊ａ＊ｂ＊値を求める処理が終了したか否かの判定を行う。
このとき、分光反射率計算部３５は、分光反射率及びＬ＊ａ＊ｂ＊値を求める処理が終了した場合、処理をステップＳ２７へ進める。一方、分光反射率計算部３５は、分光反射率及びＬ＊ａ＊ｂ＊値を求める処理が終了していない場合、処理をステップＳ２４へ進める。
【０１０２】
ステップＳ２７：
次に、Ｌ＊ａ＊ｂ＊空間補完部３７は、ステップＳ６で分光反射率計算部３５が計算した実数のＬ＊ａ＊ｂ＊値を離散化（例えば、小数点以下の数値を四捨五入して整数化）し、離散化した結果の離散化Ｌ＊ａ＊ｂ＊値の集合を配合計算対象Ｌ＊ａ＊ｂ＊群とし、処理をステップＳ２８へ進める。
図１３は、Ｌ＊ａ＊ｂ＊空間補完部３７が行う離散化を説明する図である。この図８においては、Ｌ＊値方向の軸を省略して記載し、ａ＊値及びｂ＊値の軸からなる２次元平面を示しているが、実際にはＬ＊ａ＊ｂ＊空間である。図１３（ａ）は、所定の配合比率において初期配合された配合インキのＬ＊ａ＊ｂ＊値（計算値）をプロットした図である。図１３（ｂ）は、配合インキのＬ＊ａ＊ｂ＊値を離散化して離散化Ｌ＊ａ＊ｂ＊値（離散化）としてプロットした図である。
【０１０３】
ステップＳ２８：
そして、Ｌ＊ａ＊ｂ＊空間補完部３７は、配合計算対象Ｌ＊ａ＊ｂ＊群に含まれる離散化Ｌ＊ａ＊ｂ＊値の各々に対し、Ｌ＊±ｄＬ（ΔＬ）、ａ＊±ｄａ（Δａ）、ｂ＊±ｄｂ（Δｂ）した離散化Ｌ＊ａ＊ｂ＊値を新規配合計算対象とし、配合計算対象Ｌ＊ａ＊ｂ＊群へ加える。一方、Ｌ＊ａ＊ｂ＊空間補完部３７は、配合計算対象Ｌ＊ａ＊ｂ＊群の補集合における離散化Ｌ＊ａ＊ｂ＊値を配合計算対象外Ｌ＊ａ＊ｂ＊群とし、処理をステップＳ２９へ進める。ここで、ｄＬ、ｄａ、ｄｂの各々は、予め設定された所定の数値であり、離散化した数値が例えば整数値である場合、それぞれ「１」である。
ここで、Ｌ＊ａ＊ｂ＊空間補完部３７は、配合計算対象Ｌ＊ａ＊ｂ＊群におけるＬ＊±ｄＬ、ａ＊±ｄａ、ｂ＊±ｄｂした離散化Ｌ＊ａ＊ｂ＊値において、すでに配合計算対象Ｌ＊ａ＊ｂ＊群にあり、重複する離散化Ｌ＊ａ＊ｂ＊値を削除する。
【０１０４】
図１４は、計算対象の配合計算対象Ｌ＊ａ＊ｂ＊群に含まれる離散化Ｌ＊ａ＊ｂ＊値の設定を説明する図である。図１４は、図１３と同様に、Ｌ＊値方向の軸を省略して記載し、ａ＊値及びｂ＊値の軸からなる２次元平面を示しているが、実際にはＬ＊ａ＊ｂ＊空間である。図１４（ａ）は、配合計算対象の離散化Ｌ＊ａ＊ｂ＊値（計算対象）に対し、配合計算対象の離散化Ｌ＊ａ＊ｂ＊値の各々をＬ＊±ｄＬ、ａ＊±ｄａ、ｂ＊±ｄｂした離散化Ｌ＊ａ＊ｂ＊値（新規対象）を設定した図である。
【０１０５】
ステップＳ２９：
Ｌ＊ａ＊ｂ＊空間補完部１３は、配合計算対象Ｌ＊ａ＊ｂ＊群と配合計算対象外Ｌ＊ａ＊ｂ＊群の連結の評価を行う。
ここで、Ｌ＊ａ＊ｂ＊空間補完部３７は、配合計算対象Ｌ＊ａ＊ｂ＊群内の各離散化Ｌ＊ａ＊ｂ＊値の連結（隣接している）と、配合計算対象外Ｌ＊ａ＊ｂ＊群内のＬ＊ａ＊ｂ＊値の連結とを、すなわちグルーピングしてグループ数を評価する。図１４（ｂ）は、配合計算対象Ｌ＊ａ＊ｂ＊値（計算対象）と、計算対象外Ｌ＊ａ＊ｂ＊値（計算対象外）とのグルーピング結果を示す図である。図１４（ｂ）においては、計算対象外Ｌ＊ａ＊ｂ＊値のグループが複数存在している。
【０１０６】
すなわち、Ｌ＊ａ＊ｂ＊空間補完部３７は、配合計算対象Ｌ＊ａ＊ｂ＊群内の各離散化Ｌ＊ａ＊ｂ＊値がＬ＊ａ＊ｂ＊空間において上下（Ｌ軸方向）前後（ａ軸方向）左右（ｂ軸方向）の６方向において配合計算対象Ｌ＊ａ＊ｂ＊群内の他の離散化Ｌ＊ａ＊ｂ＊値と連結されている離散化Ｌ＊ａ＊ｂ＊値からなるグループ数を計数する。
同様に、Ｌ＊ａ＊ｂ＊空間補完部３７は、配合計算対象外Ｌ＊ａ＊ｂ＊群内の各離散化Ｌ＊ａ＊ｂ＊値がＬ＊ａ＊ｂ＊空間において上下前後左右の６方向において配合計算対象外Ｌ＊ａ＊ｂ＊群内の他の離散化Ｌ＊ａ＊ｂ＊値と連結されている離散化Ｌ＊ａ＊ｂ＊値からなるグループ数を計数する。
【０１０７】
ステップＳ３０：
次に、Ｌ＊ａ＊ｂ＊空間補完部３７は、配合計算対象Ｌ＊ａ＊ｂ＊群内の各離散化Ｌ＊ａ＊ｂ＊値のグループと、配合計算対象外Ｌ＊ａ＊ｂ＊群内の各離散化Ｌ＊ａ＊ｂ＊値のグループとの各々が１つであるか否かの判定を行う。
このとき、Ｌ＊ａ＊ｂ＊空間補完部３７は、配合計算対象Ｌ＊ａ＊ｂ＊群内の各離散化Ｌ＊ａ＊ｂ＊値のグループと、配合計算対象外Ｌ＊ａ＊ｂ＊群内の各離散化Ｌ＊ａ＊ｂ＊値のグループとの各々が１つである場合、処理をステップＳ３１へ進める。  ここで、図１４（ｃ）は、配合計算対象Ｌ＊ａ＊ｂ＊値と、計算対象外Ｌ＊ａ＊ｂ＊値とのグルーピング結果を示す図である。図１４（ｃ）においては、配合計算対象Ｌ＊ａ＊ｂ＊値（計算対象）と、計算対象外Ｌ＊ａ＊ｂ＊値（対象外）とのグループが一つずつ構成されている。。
一方、Ｌ＊ａ＊ｂ＊空間補完部３７は、配合計算対象Ｌ＊ａ＊ｂ＊群内の各離散化Ｌ＊ａ＊ｂ＊値のグループ、あるいは配合計算対象外Ｌ＊ａ＊ｂ＊群内の各離散化Ｌ＊ａ＊ｂ＊値のグループのいずれか一方でも２つ以上有る場合、処理をステップＳ２８へ戻す。
【０１０８】
ステップＳ３１：
Ｌ＊ａ＊ｂ＊空間補完部３７は、新規配合計算対象として離散化Ｌ＊ａ＊ｂ＊値を得るためのベースインキの配合比率を求める。
このとき、Ｌ＊ａ＊ｂ＊空間補完部３７は、新規配合計算対象の離散化Ｌ＊ａ＊ｂ＊値各々の配合比率の計算において、配合比率の初期値として予め設定した初期配合比率を用いて、上記離散化Ｌ＊ａ＊ｂ＊値に対応する配合比率を算出する。ここで、初期配合比率は任意であり、３種類のベースインキを用いる場合、例えば３４％、３３％、３３％などと設定して良い。
また、Ｌ＊ａ＊ｂ＊空間補完部３７は、この配合比率の計算過程において、配合比率の結果として得られた予測Ｌ＊ａ＊ｂ＊値を離散化する。
【０１０９】
そして、Ｌ＊ａ＊ｂ＊空間補完部３７は、離散化した予測Ｌ＊ａ＊ｂ＊値と、目標値である配合計算対象Ｌ＊ａ＊ｂ＊値とが一致するかを確認し、一致した場合に配合計算済Ｌ＊ａ＊ｂ＊値とし、計算済Ｌ＊ａ＊ｂ＊群に加え、かつ配合計算対象Ｌ＊ａ＊ｂ＊群から除く。
【０１１０】
図１５は、配合計算対象外Ｌ＊ａ＊ｂ＊群に含まれる離散化Ｌ＊ａ＊ｂ＊値の配合比率を算出する処理を説明する図である。図１５（ａ）は、図１４（ｃ）における配合計算対象とされた離散化Ｌ＊ａ＊ｂ＊値において配合比率を求める計算が収束せず、配合計算対象とされた離散化Ｌ＊ａ＊ｂ＊値（例えば、ａ＊＝２４、ｂ＊＝２１の離散化Ｌ＊ａ＊ｂ＊値など）が、再度、配合計算対象外の離散化Ｌ＊ａ＊ｂ＊値とされたことを示す図である。この図１５（ａ）においては、配合比率の計算が収束した離散化Ｌ＊ａ＊ｂ＊値（計算済）のみが示されている。
【０１１１】
ステップＳ３２：
そして、Ｌ＊ａ＊ｂ＊空間補完部３７は、計算済Ｌ＊ａ＊ｂ＊群に含まれる離散化Ｌ＊ａ＊ｂ＊値の各々に対し、Ｌ＊±ｄＬ、ａ＊±ｄａ、ｂ＊±ｄｂした離散化Ｌ＊ａ＊ｂ＊値において、計算済Ｌ＊ａ＊ｂ＊群における離散化Ｌ＊ａ＊ｂ＊値と重複しない離散化Ｌ＊ａ＊ｂ＊値を新規配合計算対象とし、配合計算対象Ｌ＊ａ＊ｂ＊群へ加える。
【０１１２】
ステップＳ３３：
次に、Ｌ＊ａ＊ｂ＊空間補完部３７は、配合計算対象Ｌ＊ａ＊ｂ＊群における新たに設定された新規配合計算対象の離散化Ｌ＊ａ＊ｂ＊値に対して、配合比率の再計算を行う。
このとき、Ｌ＊ａ＊ｂ＊空間補完部３７は、配合比率の初期値として、配合計算済Ｌ＊ａ＊ｂ＊群の中で最も小さい色差のものを用いる。ここで、同じ色差のものが存在した場合には、その中のいずれを初期値としても良い。例えば、Ｌ＊値、ａ＊値、ｂ＊値の順番で予めいずれを用いるかの優先順位を設定しておく。
そして、Ｌ＊ａ＊ｂ＊空間補完部３７は、予め設定した演算回数の範囲内において、離散化した予測Ｌ＊ａ＊ｂ＊値と、目標値である配合計算対象Ｌ＊ａ＊ｂ＊群における離散化Ｌ＊ａ＊ｂ＊値とが一致するかを確認し、一致した場合に配合計算済の離散化Ｌ＊ａ＊ｂ＊値とし、配合計算済Ｌ＊ａ＊ｂ＊群に含める。
【０１１３】
ステップＳ３４：
Ｌ＊ａ＊ｂ＊空間補完部３７は、ステップＳ３３において、配合計算済Ｌ＊ａ＊ｂ＊群に新たに含めた離散化Ｌ＊ａ＊ｂ＊値が、すでに配合計算済Ｌ＊ａ＊ｂ＊群に含まれているいずれかの離散化Ｌ＊ａ＊ｂ＊値と一致する数値が存在した場合、処理をステップＳ３２に戻す。
一方、Ｌ＊ａ＊ｂ＊空間補完部３７は、ステップＳ３３において、配合計算済Ｌ＊ａ＊ｂ＊群に新たに含めた離散化Ｌ＊ａ＊ｂ＊値が、すでに配合計算済Ｌ＊ａ＊ｂ＊群に含まれている離散化Ｌ＊ａ＊ｂ＊値のいずれとも一致しない場合、処理を終了する。図１５（ｃ）は、再計算の結果で収束しなかった離散化Ｌ＊ａ＊ｂ＊値（計算済）と、計算対象外の離散化Ｌ＊ａ＊ｂ＊値が、色域外の離散化Ｌ＊ａ＊ｂ＊値（色域外）となったことを示す図である。
【０１１４】
上述したように、本実施形態によれば、操作者が選択する下地素材と、耐性データ及び価格などの属性データとなどに対応させてＬ＊ａ＊ｂ＊色空間における離散化Ｌ＊ａ＊ｂ＊値を算出し、Ｌ＊ａ＊ｂ＊色空間に疎の領域（Ｌ＊ａ＊ｂ＊値として算出されていない座標値の密度が少ない領域）がなくなるように、すなわち色の連続性が従来に比較して高い色域データとしての離散化Ｌ＊ａ＊ｂ＊値を容易に補完して得ることができる。
これにより、本実施形態によれば、再現可能な色域内における離散化Ｌ＊ａ＊ｂ＊値が隣接する他の離散化Ｌ＊ａ＊ｂ＊値と連結された状態、すなわち疎の領域が無い状態となるため、高い精度で再現色に対応させた配合比率を得ることが可能となり、デザイナーが希望する、彩色を行う下地の素材に対応さた色を再現するベースインキの種類と、それらベースインキの配合比率とを容易に求めることができるデータベースを作成することができる。
【０１１５】
また、本実施形態によれば、属性データの一つである入手及び使用可能地域により、ベースインキのグループを形成し、デザイナーが作業する地域において容易に入手及び使用可能なベースインキによって、配合色の色域データを得ることが可能となり、デザイナーの作業効率を上げることができる。
【０１１６】
また、図１における色材選択補助システム１及び図１０における色域データベース作成システムの各々の機能を実現するためのプログラムをコンピュータ読み取り可能な記録媒体に記録して、この記録媒体に記録されたプログラムをコンピュータシステムに読み込ませ、実行することにより色材選択補助あるいはデータベース作成の処理を行ってもよい。なお、ここでいう「コンピュータシステム」とは、ＯＳや周辺機器等のハードウェアを含むものとする。
【０１１７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１１８】
以上、この発明の実施形態を図面を参照して詳述してきたが、具体的な構成はこの実施形態に限られるものではなく、この発明の要旨を逸脱しない範囲の設計等も含まれる。
【符号の説明】
【０１１９】
１…色材選択補助システム
３…色域データベース作成システム
１１…色彩値設定部
１２…色彩値変換部
１３…分光反射率計算部
１４…属性データ設定部
１５…下地素材設定部
１６…インキタイプ設定部
１７…ＣＣＭ設定部
１８…制御部
１９…表示部
２０…入力部
２１…パラメータデータベース
２２…再現可能色域データベース
３１…素材設定部
３２…ベースインキ選択部
３３…コンビネーション設計部
３４…初期配合設定部
３５…分光反射率計算部
３６…Ｌ＊ａ＊ｂ＊値算出部
３７…Ｌ＊ａ＊ｂ＊空間データ補完部
３８…表示部
３９…ベースインキデータベース
４０…素材データベース
【図１】
2014195172.tif 000006
【図２】
2014195172.tif 000007
【図３】
2014195172.tif 000008
【図４】
2014195172.tif 000009
【図５】
2014195172.tif 000010
【図６】
2014195172.tif 000011
【図７】
2014195172.tif 000012
【図８】
2014195172.tif 000013
【図９】
2014195172.tif 000014
【図１０】
2014195172.tif 000015
【図１１】
2014195172.tif 000016
【図１２】
2014195172.tif 000017
【図１３】
2014195172.tif 000018
【図１４】
2014195172.tif 000019
【図１５】
2014195172.tif 000020